(57)【要約】【課題】安価で使用性に優れた電気掃除機を提供すること。【解決手段】塵埃を吸引するためのファンモーターと、塵埃を吸引する吸込み具に連通し、塵埃を捕集するための集塵室と、前記ファンモーターの動作を制御するための本体スイッチ５を内蔵した本体１と、本体１を持ち運ぶために本体１略上方に設けられ、上部ハンドル部７及び下部ハンドル部８の上下２部品からなる、可動可能に形成されたハンドル部とを備え、可動可能に形成された上部ハンドル部７または下部ハンドル部８により本体スイッチ５を動作可能にする電気掃除機とした。これにより部品点数を削減できると共に、操作部も拡大でき、安価で使用性の優れた電気掃除機を提供できるようになる。【選択図】図３
2007006919.tif 000002
【特許請求の範囲】
【請求項１】
塵埃を吸引するためのファンモーターと、塵埃を吸引する吸込み具に連通し、塵埃を捕集するための集塵室と、前記ファンモーターの動作を制御するための本体スイッチを内蔵した本体と、前記本体を持ち運ぶために前記本体略上方に設けられ、上部ハンドル部及び下部ハンドル部の上下２部品からなる、可動可能に形成されたハンドル部とを備え、可動可能に形成された前記上部ハンドル部または下部ハンドル部により前記本体スイッチを動作可能に構成した電気掃除機。
【請求項２】
塵埃を吸引するためのファンモーターと、塵埃を吸引する吸込み具に連通し、塵埃を捕集するための集塵室と、電源コードを巻取り収納するためのコードリールを内蔵した本体と、前記本体を持ち運ぶために前記本体略上方に設けられ、上部ハンドル部及び下部ハンドル部の上下２部品からなる、可動可能に形成されたハンドル部とを備え、可動可能に形成された前記上部ハンドル部または下部ハンドル部により前記コードリールの動作を制御可能に構成した電気掃除機。
【請求項３】
上部ハンドル部または下部ハンドル部の略中央部は、動作を抑制させた請求項１または２記載の電気掃除機。
【請求項４】
下部ハンドル部または上部ハンドル部を上下方向に摺動可能とし、前記下部ハンドル部または上部ハンドル部の一部を他方のハンドル部に近接可能な構成とした請求項１〜３のいずれか１項記載の電気掃除機。
【請求項５】
集塵室を覆う集塵室蓋を備え、前記集塵室蓋を開けたときに上部ハンドル部または下部ハンドル部の動作を抑制させる蓋突起部を前記集塵室蓋に設けた請求項１〜４のいずれか１項記載の電気掃除機。
【発明の詳細な説明】
【技術分野】
【０００１】
本発明は一般家庭で使用される電気掃除機に関するもので、特に安全性および使用性に関するものである。
【背景技術】
【０００２】
従来の電気掃除機を、図２１を用いて説明する。
【０００３】
図２１に示す電気掃除機は、塵埃を吸引するためのファンモーター（図示せず）と、塵埃を吸引する吸込み具に連通し、塵埃を捕集するための集塵室（図示せず）と、前記ファンモーターの動作を制御するための本体スイッチを動作させるためのスイッチペダル１６と、電源コードを巻取り収納するためのコードリール（図示せず）と、前記コードリールの動作を制御するための可動式のコードペダル１８を内蔵した本体１９から構成されており、前記本体１９を持ち運ぶためのハンドル部２０を前記本体１９略上部に設けている（例えば、特許文献１参照）。
【特許文献１】特開平９−９８９１４号公報
【発明の開示】
【発明が解決しようとする課題】
【０００４】
しかしながら上記従来の電気掃除機の構成では、前記ハンドル部２０、前記スイッチペダル１６および前記コードペダル１８はそれぞれ独立した部品であるため、部品点数が増加し原価状況を悪化させていた。また、前記スイッチペダル１６および前記コードペダル１８の形状は小さいものが多く、海外のように足で操作するには難しかった。
【０００５】
本発明は上記課題を解決するもので、低コストでかつ、安全性および使用性に優れた電気掃除機を提供することを目的としている。
【課題を解決するための手段】
【０００６】
上記課題を解決するために本発明は、塵埃を吸引するためのファンモーターと、塵埃を吸引する吸込み具に連通し、塵埃を捕集するための集塵室と、前記ファンモーターの動作を制御するための本体スイッチを内蔵した本体と、前記本体を持ち運ぶために前記本体略上方に設けられ、上部ハンドル部及び下部ハンドル部の上下２部品からなる、可動可能に形成されたハンドル部とを備え、可動可能に形成された前記上部ハンドル部または下部ハンドル部により前記本体スイッチを動作可能に構成したことにより、部品点数を削減できると共に、操作部も拡大でき、安価で使用性の優れた電気掃除機を提供することができる。
【発明の効果】
【０００７】
本発明は、低コストで使用性に優れた電気掃除機を提供することができる。
【発明を実施するための最良の形態】
【０００８】
第１の発明は、塵埃を吸引するためのファンモーターと、塵埃を吸引する吸込み具に連通し、塵埃を捕集するための集塵室と、前記ファンモーターの動作を制御するための本体スイッチを内蔵した本体と、前記本体を持ち運ぶために前記本体略上方に設けられ、上部ハンドル部及び下部ハンドル部の上下２部品からなる、可動可能に形成されたハンドル部とを備え、可動可能に形成された前記上部ハンドル部または下部ハンドル部により前記本体スイッチを動作可能に構成したことにより、部品点数を削減できるとともに、操作部も拡大でき、安価で使用性の優れた電気掃除機を提供することができる。
【０００９】
第２の発明は、塵埃を吸引するためのファンモーターと、塵埃を吸引する吸込み具に連通し、塵埃を捕集するための集塵室と、電源コードを巻取り収納するためのコードリールを内蔵した本体と、前記本体を持ち運ぶために前記本体略上方に設けられ、上部ハンドル部及び下部ハンドル部の上下２部品からなる、可動可能に形成されたハンドル部とを備え、可動可能に形成された前記上部ハンドル部または下部ハンドル部により前記コードリールの動作を制御可能に構成したことにより、部品点数を削減できるとともに、操作部も拡大されるので安価で使用性の優れた電気掃除機を提供することができる。
【００１０】
第３の発明は、上部ハンドル部または下部ハンドル部の略中央部は動作を抑制させることにより、本体を持ち運ぶ際に前記上部ハンドルまたは下部ハンドル略中央部を押しても動作しないため、前記本体スイッチや前記コードリールを誤って動作させるといった危険性を防止できる。
【００１１】
第４の発明は、下部ハンドル部または上部ハンドル部を上下方向に摺動可能とし、前記下部ハンドル部または上部ハンドル部の一部を他方のハンドル部に近接可能な構成としたので、ハンドル部の動作を抑制でき、前記本体スイッチや前記コードリールを誤って動作させるといった危険性を防止できる。
【００１２】
第５の発明は、集塵室を覆う集塵室蓋を備え、前記集塵室蓋を開けたときに上部ハンドル部または下部ハンドル部の動作を抑制させる蓋突起部を前記集塵室蓋に設けたことにより、集塵袋交換等で前記集塵室蓋を開けたときに前記ハンドル部を動作させて前記本体スイッチや前記コードリールを誤って動作させるといった危険性を防止できる。
【００１３】
以下、本発明の実施の形態について、図面を参照しながら説明する。なお、本実施の形態によって本発明が限定されるものではない。
【００１４】
（実施の形態１）
本発明の第１の実施の形態について図１〜図１４を用いて説明する。
【００１５】
図１〜図１４において、本体１は塵埃を吸引するためのファンモーター２と、塵埃を吸引する吸込み具に連通し、塵埃を捕集するための集塵室３と、前記集塵室３を覆う集塵室蓋４と、前記ファンモーター２の動作を制御するための本体スイッチ５と電源コードを巻取り収納するためのコードリール６を内蔵し、前記本体１を持ち運ぶための上下２部品からなる上部ハンドル部７と下部ハンドル部８を前記本体１略上部に備えている。
【００１６】
前記上部ハンドル部７は略上下方向に可動可能に形成し、前記上部ハンドル部７により前記本体スイッチ５および前記コードリール６を動作可能にさせている。
【００１７】
９は前記下部ハンドル部８の略中央部に位置し、前記上部ハンドル部７に近接する高さを有するリブである。
【００１８】
図７、８に示す１０は前記下部ハンドル部８上に設けられた、回動自在のストッパーであり、自身を回動させることにより、図８に示すように前記上部ハンドル部７に近接させることができる。
【００１９】
図１１、１２に示す１１は前記下部ハンドル部８上に設けられた突起部であり、前記下部ハンドル部８を上方へ移動させた際は、図１２に示すように前記上部ハンドル部７の前記本体スイッチ５および前記コードリール６近傍に近接する構成となっている。
【００２０】
図１３、１４に示す１２は前記集塵室蓋４上に設けられた蓋突起部であり、前記集塵室蓋４を開いた際は、図１４に示すように前記上部ハンドル部７の前記本体スイッチ５および前記コードリール６近傍に近接する構成となっている。
【００２１】
以上のように構成された電気掃除機について図１〜図１４を用いてその動作、作用を説明する。
【００２２】
図１〜図４に示すように前記上部ハンドル部７は可動可能に形成されており、前記上部ハンドル部７により前記本体スイッチ５および前記コードリール６の近傍を押すことにより、前記本体スイッチ５および前記コードリール６を制御することができる。従来最低３部品必要な部分を１部品のみで形成できるため、部品コストを削減できるとともに、操作部も拡大されるので安価で使用性の優れた電気掃除機を提供することができる。
【００２３】
また、図５、６に示すように、前記下部ハンドル部８の略中央部にリブ９を設けることにより、前記本体１を持ち運ぶ際に前記上部ハンドル７略中央部を押しても前記リブ９によって前記上記ハンドル部７は動作できないため、前記本体スイッチ５や前記コードリール６を誤って動作させるといった危険性を防止できる。
【００２４】
また、図７、８に示すように、前記下部ハンドル部８上に設けられた、回動自在のストッパー１０を回動させることにより、図８に示すように前記上部ハンドル部７に近接させることができるため、子供が誤って前記本体スイッチ５を動作させるといった危険性を防止できる。
【００２５】
また、前記上部ハンドル部７の表面に滑り止めの加工を施したことにより、前記本体スイッチ５や前記コードリール６を足などで操作する際に滑ることを防止でき確実に操作することができる。
【００２６】
また、図９〜図１２に示すように、前記下部ハンドル部８を上下方向にしゅう動可能な構成とし、前記下部ハンドル部８の一部が前記上部ハンドル部７に近接可能であることにより、前記下部ハンドル部８を持って前記本体１を持ち運ぶ際は、前記下部ハンドル部８が上方に移動し、前記上部ハンドル部７に近接するため前記上部ハンドル部７の動作を抑制でき、前記本体スイッチ５や前記コードリール６を誤って動作させるといった危険性を防止できる。
【００２７】
また、図１１、１２に示すように、前記下部ハンドル部８上に前記突起部１１を設け、前記下部ハンドル部８を上方へ移動させた際は、図１２に示すように前記上部ハンドル部７の前記本体スイッチ５および前記コードリール６近傍に近接させることにより、前記本体１を持ち運ぶ際に前記上部ハンドル部７のどこを押しても前記上記ハンドル部７は動作しないため、前記本体スイッチ５や前記コードリール６を誤って動作させるといった危険性を確実に防止できる。
【００２８】
また、前記下部ハンドル部８を軟質材で形成したことにより、手にやさしい使い勝手のよい電気掃除機を提供できる。
【００２９】
また、図１３、１４に示すように、前記集塵室蓋４を開けた時に前記上部ハンドル部７の動作を抑制させる前記蓋突起部１２を前記集塵室蓋４に設けたことにより、集塵袋交換等で前記集塵室蓋４を開けたときに前記上部ハンドル部７を動作させて、前記本体スイッチ５や前記コードリール６を誤って動作させるといった危険性を防止できる。
【００３０】
以上のように本実施の形態においては、部品点数を削減できるとともに、操作部も拡大されるので安価で使用性の優れた電気掃除機を提供することができる。
【００３１】
（実施の形態２）
本発明の第２の実施の形態について図１５〜図２０を用いて説明する。
【００３２】
図１５〜図２０において、本体１は塵埃を吸引するためのファンモーター２と、塵埃を吸引する吸込み具に連通し、塵埃を捕集するための集塵室３と、前記集塵室３を覆う集塵室蓋４と、前記ファンモーター２の動作を制御するための本体スイッチ５と電源コードを巻取り収納するためのコードリール６を内蔵し、前記本体１を持ち運ぶためのハンドル部１３を前記本体１略上部に備えている。
【００３３】
前記ハンドル部１３は略上下方向に可動可能に形成し、図１６に示すように前記ハンドル部１３により前記本体スイッチ５および前記コードリール６を動作可能にさせている。
【００３４】
図１７、１８に示す１０は前記本体１上に設けられた、しゅう動自在のストッパー１０であり、自身を左右にしゅう動させることにより、図１８に示すように前記ハンドル部１３の下部に近接させて、前記ハンドル部１３の動作を抑制させることができる。
【００３５】
図１９、２０に示す１２は前記集塵室蓋４上に設けられた蓋突起部であり、前記集塵室蓋４を開いた際は、図２０に示すように前記ハンドル部１３の前記本体スイッチ５および前記コードリール６近傍に近接する構成となっている。
【００３６】
以上のように構成された電気掃除機について図１５〜図２０を用いてその動作、作用を説明する。
【００３７】
図１５、１６に示すように前記ハンドル部１３は略上下方向に可動可能に形成されており、前記ハンドル部１３により前記本体スイッチ５および前記コードリール６の近傍を押すことにより、前記本体スイッチ５および前記コードリール６を制御することができる。従来最低３部品必要な部分を１部品のみで形成できるため、部品コストを削減できるとともに、操作部も拡大されるので安価で使用性の優れた電気掃除機を提供することができる。
【００３８】
また、図１７、１８に示すように、前記本体１上に設けられた、しゅう動自在のストッパー１０をしゅう動させることにより、図８に示すように前記ハンドル部１３に近接させることができるため、子供が誤って前記本体スイッチ５を動作させるといった危険性を防止できる。
【００３９】
また、図１９、２０に示すように、前記集塵室蓋４を開けた時に前記ハンドル部１３の動作を抑制させる前記蓋突起部１２を前記集塵室蓋４に設けたことにより、集塵袋交換等で前記集塵室蓋４を開けたときに前記ハンドル部１３を動作させて、前記本体スイッチ５や前記コードリール６を誤って動作させるといった危険性を防止できる。
【００４０】
以上のように本実施の形態においては、部品点数を削減できるとともに、操作部も拡大されるので安価で使用性の優れた電気掃除機を提供することができる。
【産業上の利用可能性】
【００４１】
以上のように、本発明にかかる電気掃除機は、使用性、信頼性に優れ、さらにコスト低減も図ることのできる極めて有用なものである。
【図面の簡単な説明】
【００４２】
【図１】本発明の実施の形態１を示す電気掃除機の平面図
【図２】同電気掃除機の要部断面図
【図３】同電気掃除機の要部断面図
【図４】同電気掃除機の要部断面図
【図５】同電気掃除機の要部断面図
【図６】同電気掃除機の要部断面図
【図７】同電気掃除機の要部断面図
【図８】同電気掃除機の要部断面図
【図９】同電気掃除機の要部断面図
【図１０】同電気掃除機の要部断面図
【図１１】同電気掃除機の要部断面図
【図１２】同電気掃除機の要部断面図
【図１３】同電気掃除機の要部断面図
【図１４】同電気掃除機の要部断面図
【図１５】本発明の実施の形態２を示す電気掃除機の要部断面図
【図１６】同電気掃除機の要部断面図
【図１７】同電気掃除機の要部断面図
【図１８】同電気掃除機の要部断面図
【図１９】同電気掃除機の要部断面図
【図２０】同電気掃除機の要部断面図
【図２１】従来の電気掃除機の平面図
【符号の説明】
【００４３】
１  本体
２  ファンモーター
３  集塵室
５  本体スイッチ
７  上部ハンドル部
８  下部ハンドル部
【図１】
2007006919.tif 000003
【図２】
2007006919.tif 000004
【図３】
2007006919.tif 000005
【図４】
2007006919.tif 000006
【図５】
2007006919.tif 000007
【図６】
2007006919.tif 000008
【図７】
2007006919.tif 000009
【図８】
2007006919.tif 000010
【図９】
2007006919.tif 000011
【図１０】
2007006919.tif 000012
【図１１】
2007006919.tif 000013
【図１２】
2007006919.tif 000014
【図１３】
2007006919.tif 000015
【図１４】
2007006919.tif 000016
【図１５】
2007006919.tif 000017
【図１６】
2007006919.tif 000018
【図１７】
2007006919.tif 000019
【図１８】
2007006919.tif 000020
【図１９】
2007006919.tif 000021
【図２０】
2007006919.tif 000022
【図２１】
2007006919.tif 000023